(57)【特許請求の範囲】
【請求項１】
防水パン上に、気泡ノズル用配管を有する浴槽を配置し、ユニツト室外側の天井パネルの裏面上にエアーポンプを配置し、ユニツトバス壁部を貫通するエアー供給管でエアーポンプの吐出口と気泡ノズル用配管の接続口とを接続したユニツトバスの気泡用エアー配管構造において、前記ユニツトバス壁部の貫通孔に挿通案内用ブシユを取付け、前記エアー供給管を１本の可撓性管で形成し、該挿通案内用ブシユの貫通孔へエアー供給管を挿通して成り、前記挿通案内用ブシユの貫通孔は、ユニツト室内側からユニツト室外側に向かつて上り傾斜しており、且つユニット室外側で垂れ下がるエアー供給管をユニット室内側へ方向転換して延設するに際し、円滑に湾曲形成させることができるものであることを特徴とするユニツトバスの気泡用エアー配管構造。
【発明の詳細な説明】
【０００１】
【発明の属する技術分野】
本発明は、気泡浴槽を備えたユニツトバスの気泡用エアー配管構造及びこの配管構造等に用いることができる挿通案内用ブシユに関するものである。
【０００２】
【従来の技術】
従来、ユニツトバスには、防水パン上に、気泡ノズル用配管を有する浴槽を配置し、ユニツト室外側にエアーポンプを配置し、ユニツトバス壁部を貫通するエアー供給管でエアーポンプの吐出口と気泡ノズル用配管の接続口とを接続したものがある。そして、この気泡用エアー配管構造には、ユニツトの壁パネルに管継手であるエルボを取付け、ユニツト室外側でエアーポンプの吐出口とエルボとを接続し、ユニツト室内側でエルボと気泡ノズル用配管とを接続したもの（実公平８−６９６５号公報）がある。更に、気泡用エアー配管構造には、天井パネルの裏面上にエアーポンプを設置し、ユニツトの天井パネルや壁パネルの外面に沿わせて硬質パイプを取付けることによりエアーポンプから壁パネル下端近傍まで至る硬質のパネル側管路を形成し、防水パンの腰壁に開口した浴槽点検用の点検口の近傍でパネル側管路と浴槽側に取付けた気泡ノズル用配管とを可撓性管で接続したもの（特開平５−１３７７６７号公報）がある。
【０００３】
【発明が解決しようとする課題】
前記気泡用エアー配管構造は、二本以上の管を用いて接合するため、構造的に複雑であり、施工に多くの手間を必要とする。また、ユニツトを設置は、躯体壁面に接近して行うのが一般的であるため、ユニツト設置後のユニツト室外側における配管の手直し工事が非常に難しかつた。更に、気泡装置を撤去した後に、ユニツト室外側の配管を撤去することも、非常に難しかつた。
【０００４】
そこで、本発明は、上記問題を解決するために、構造が簡単で且つユニツト室外側の配管の手直し工事が簡単にでき、更に、ユニツト室外側の配管の撤去が簡単にできるユニツトバスの気泡用エアー配管構造の提供を目的とする。
【０００５】
【課題を解決するための手段】
構造が簡単で且つユニツト室外側の配管の手直し工事が簡単にでき、更に、ユニツト室外側の配管の撤去が簡単にできるようにするために請求項１記載の本発明が採用した手段は、防水パン上に、気泡ノズル用配管を有する浴槽を配置し、ユニツト室外側の天井パネルの裏面上にエアーポンプを配置し、ユニツトバス壁部を貫通するエアー供給管でエアーポンプの吐出口と気泡ノズル用配管の接続口とを接続したユニツトバスの気泡用エアー配管構造において、前記ユニツトバス壁部の貫通孔に挿通案内用ブシユを取付け、前記エアー供給管を１本の可撓性管で形成し、該挿通案内用ブシユの貫通孔へエアー供給管を挿通して成り、前記挿通案内用ブシユの貫通孔は、ユニツト室内側からユニツト室外側に向かつて上り傾斜しており、且つユニット室外側で垂れ下がるエアー供給管をユニット室内側へ方向転換して延設するに際し、円滑に湾曲形成させることができるものである。本発明にあつては、挿通案内用ブシユを介してエアーポンプの吐出口と気泡ノズル用配管の接続口とを１本の可撓管で接続しているために構造が簡単となり、更に、挿通案内用ブシユへ挿通した可撓管の移動が自由にできるため、手直し工事やユニツト室外側の配管の撤去が簡単にできる。
【０００６】
また請求項１の発明にあっては、配管の湾曲形成を容易にできるようにすると共に、ユニツト室内側からユニツト室外側へ漏水させないようにするために、前記挿通案内用ブシユの貫通孔は、ユニツト室内側からユニツト室外側に向かつて上り傾斜してとしており、且つユニット室外側で垂れ下がるエアー供給管をユニット室内側へ方向転換して延設するに際し、円滑に湾曲形成させることができるものであることとしている。そのため、ユニツト室外側で垂れ下る可撓性管がユニツト室内側へ方向転換して延設する箇所が、ブシユの傾斜した貫通孔で導かれるため、可撓性管を円滑に湾曲形成させることができる。更に、本発明にあつては、ユニツト室内側から可撓性管を伝わつて漏水しようとしても、ブシユの貫通孔が上り傾斜しているため、漏水することはない。
【０００７】
【発明の実施の形態】
以下、本発明に係るユニツトバスの気泡用エアー配管構造及び挿通案内用ブシユを図面に示す実施の形態に基づいて説明する。図１は本発明構造の実施の形態を示す斜視図であり、図２は本発明ブシユを拡大した断面図である。
【０００８】
ユニツトバス１は、図１に示すように、防水パン２の周縁に複数枚の壁パネル３を立設し、壁パネル３の上端に接合するように適宜枚数の天井パネル４を設け、防水パン２の上に浴槽５を配置し、ユニツト室外側Ｂとなるに天井パネルの裏面上等にエアーポンプ６を配置し、エアーポンプ６の吐出口６ａと浴槽底部に備えた気泡ノズル用配管１０とをエアー供給管７で接続し、エアーポンプ６に接続した吸気管８の吸引口をユニツト室内側Ａに連通させてある。ユニツトバス１は、浴槽５の周縁等に操作スイツチ９を設け、エアーポンプ６の起動停止の操作ができるようにしてある。エアーポンプ６は、操作スイツチ９の操作で起動したとき、ユニツト室内側Ａから吸気管８を介して吸引した空気を加圧し、エアー供給管７を介して気泡ノズル用配管１０へ供給する。気泡ノズル側配管１０へ供給した空気は、浴槽に取付けてある複数のノズル１１から噴出し、気泡となつて入浴者を心地よく刺激する。
【０００９】
前記エアー供給管７は、エアーポンプ６の吐出口６ａから気泡ノズル用配管１０の接続口１０ａまでを、１本の軟質塩化ビニール又は軟質ゴム等の軟質素材からなる可撓性管で形成してある。エアー供給管７が貫通する箇所を形成する壁パネル又は防水パンからなるユニツトバス壁部１２（図面の場合は壁パネル３）には、図２に示す如く、貫通孔１２ａが穿設されていると共に、貫通孔１２ａの周縁に挿通案内用ブシユ１３を取付けてある。ブシユ１３は、軟質ゴム又は軟質樹脂等の軟質素材から成形され、取付用フランジ部１３ｂ及び貫通孔１３ａを備えている。貫通孔１３ａは、取付用フランジ部１３ｂの取付け面であるユニツトバス壁部１２に対し、ユニツト室内側Ａからユニツト室外側Ｂに向かつて上り傾斜している。貫通孔１３ａは、エアー供給管７が挿通しており、エアー供給管７の抜き差しができる嵌合状態となつている。
【００１０】
前記ブシユ１３の取付用フランジ部１３ｂは、貫通孔１２ａの周縁に嵌着する環状凹溝状又は貫通孔１２ａの周縁に当接する鍔状等に形成され、ユニツトバス壁部１２に対して無理嵌め嵌合、ビス止め１６又は接着等で取付けられる。
【００１１】
次に、ユニツトバスの気泡用エアー配管構造の施工手順の一例を説明する。先ず、施工図に基づいて、ユニツトバス壁部１２の所定位置に貫通孔１２ａを穿設する共に、挿通案内用ブシユ１３を取付ける。この穿設及び取付け作業は、壁パネル３を立設してユニツトを構築する前又は後で行うことができる。次に、挿通案内用ブシユ１３の貫通孔１３ａにエアー供給管８を挿通する。この挿通作業は、壁パネル３を立設する前又は後のいずれでも可能であるが、壁パネル３を立設した後の場合には、ユニツト室内側Ａからブシユ１３の貫通孔１３ａへ先導用の針金を通すと共に針金先端を天井パネル４の裏側まで導いた後に、針金後端に接続したエアー供給管８を挿通案内用ブシユ１３の貫通孔１３ａへ押し込みながら針金を手繰り寄せ、エアー供給管８の先端を天井パネル４の裏側まで導く。最後に、エアー供給管８の先端をエアーポンプ６に接続と共に後端を気泡ノズル用配管１０に接続して完了する。なお、エアー供給管８を撤去するときには、エアーポンプ６及び気泡ノズル用配管１０との接続を断ち、ユニツト室内側Ａ又は室外側Ｂでエアー供給管８を引き抜く。このとき、可撓性管であるエアー供給管８は、適宜変形しながらブシユ１３から引き抜かれる。
【００１２】
なお、図１に示すように、ユニツトバス壁部１２に吸気管８を貫通させるためのブシユ１４及びユニツトバス壁部１２に配線コード１７を貫通させるためのブシユ１５は、前記ブシユ１３と同様に、軟質ゴム又は軟質樹脂等の軟質素材から成形され、取付用フランジ部及び管又は配線コードが挿通するための貫通孔を備え、貫通孔を取付用フランジ部の取付け面であるユニツトバス壁部１２に対し、ユニツト室内側Ａからユニツト室外側Ｂに向かつて上り傾斜するように構成することも可能である。
【００１３】
【発明の効果】
以上詳述の如く、本発明に係るユニツトバスの気泡用エアー配管構造及び挿通案内用ブシユは、次の如き優れた効果を有する。
請求項１記載の本発明に係るユニツトバスの気泡用エアー配管構造は、構造が簡単で且つユニツト室外側の配管の手直し工事が簡単にでき、更に、ユニツト室外側の配管の撤去が簡単にできるため、施工工数の飛躍的な低減が図れる。
【００１４】
また本発明に係るユニツトバスの気泡用エアー配管構造は、可撓管の湾曲形成を円滑にして可撓管の折れ曲げをなくすると共に、ユニツト室内側からユニツト室外側への漏水もなくすることができる。
【図面の簡単な説明】
【図１】本発明に係るユニツトバスの気泡用エアー配管構造の実施の形態を示す斜視図である。
【図２】本発明に係るブシユの実施の形態を示す拡大した断面図である。
【符号の説明】
２…防水パン    ５…浴槽    ６…エアーポンプ    ６ａ…吐出口    ７…エアー供給管    １０…気泡ノズル用配管    １０ａ…接続口    １２…ユニツトバス壁部    １２ａ…貫通孔    １３…挿通案内用ブシユ    １３ａ…貫通孔    １３ｂ…取付用フランジ部    Ａ…ユニツト室内側    Ｂ…ユニツト室外側
【図１】
0003546369.tif 000002
【図２】
0003546369.tif 000003